(57)【要約】      （修正有）【課題】移動通信システムでは、基地局装置（第１通信装置）が移動局装置または中継局装置（第２通信装置）からの信号を受信しようとする際、移動局装置が移動していることに応じた受信処理を行う。【解決手段】通信システム１０は、第１通信装置１００と、第１通信装置１００と無線通信を行う第２通信装置２００とを含む通信システムであって、第２通信装置２００の移動性を示す移動性情報を取得する移動性情報取得部と、移動性情報に基づき、第２通信装置２００へ既知信号の送信を要求するか否かを決定する制御部と、要求を送信する基地局送信部と、送信された要求を受信する移動局受信部と、要求に基づき、既知信号を送信する移動局送信部と、既知信号を受信する基地局受信部と、を含む。またさらに、移動局送信部は、既知信号を周期的に送信する期間を有する。【選択図】図１
2011155382.tif 000002
【特許請求の範囲】
【請求項１】
第１通信装置と、前記第１通信装置と無線通信を行う第２通信装置とを含む通信システムにおいて、
前記第２通信装置の移動性を示す移動性情報を取得する移動性情報取得部と、
前記移動性情報に基づき、前記第２通信装置へ既知信号の送信を要求するか否かを決定する制御部と、
前記要求を送信する基地局送信部と、
前記送信された要求を受信する移動局受信部と、
前記要求に基づき、既知信号を送信する移動局送信部と、
前記既知信号を受信する基地局受信部と、
を含むことを特徴とする通信システム。
【請求項２】
前記移動局送信部は、前記既知信号を周期的に送信する期間を有することを特徴とする請求項１に記載の通信システム。
【請求項３】
前記移動性情報は、予め第２通信装置ごとに定められた識別符号（ＩＤ）に含まれていることを特徴とする請求項１または２の何れかに記載の通信システム。
【請求項４】
前記第２通信装置は、移動を検出する移動検出部を備え、
前記移動性を示す情報は、前記移動検出部が検出した移動に関する情報であることを特徴とする請求項１または２の何れかに記載の通信システム。
【請求項５】
前記第２通信装置は、前記移動局受信部が受信する信号に含まれる信号の波周数に基づき発信する周波数を可変する発信部を備え、
前記移動性を示す情報は、前記発信部が可変した周波数の量に基づくことを特徴とする請求項１または２の何れかに記載の通信システム。
【請求項６】
前記移動局送信部が送信する情報は、前記移動性情報を含むことを特徴とする請求項１乃至５の何れかに記載の通信システム。
【請求項７】
前記第１通信装置は、複数の前記第２通信装置を集約する第１通信装置であり、
前記制御部は、前記第２通信装置毎に要求するか否かを決定することを特徴とする請求項１乃至６の何れかに記載の通信システム。
【請求項８】
前記第１通信装置は、複数の前記第２通信装置を集約する第１通信装置であり、
前記移動局送信部は、前記既知信号を送信する周期、及び／または前記周期的に送信する期間、を異ならせて前記既知信号を送信することを特徴とする請求項２乃至７記載の通信システム。
【請求項９】
第２通信装置と無線通信を行う第１通信装置において、
前記第２通信装置の移動性を示す移動性情報を取得する移動性情報取得部と、
前記移動性情報に基づき、前記第２通信装置へ既知信号の送信を要求するか否かを決定する制御部と、
前記要求を送信する基地局送信部と、
前記第２通信装置が前記送信された要求に基づき送信した既知信号を受信する基地局受信部と、
を含むことを特徴とする第１通信装置。
【請求項１０】
第１通信装置と無線通信を行う第２通信装置において、
前記第１通信装置が送信する、既知信号の送信を要求する旨の指示を受信する移動局受信部と、
前記要求に基づき、既知信号を送信する移動局送信部と、
を含むことを特徴とする第２通信装置。
【請求項１１】
第１通信装置と、前記第１通信装置と無線通信を行う第２通信装置とを含む通信システムにおける通信方法であって、
前記第２通信装置の移動性を示す移動性情報を取得するステップと、
前記移動性情報に基づき、前記第２通信装置へ既知信号の送信を要求するか否かを決定するステップと、
前記第１通信装置にて前記要求を送信するステップと、
前記第２通信装置にて前記送信された要求を受信するステップと、
前記第２通信装置にて前記要求に基づき既知信号を送信するステップと、
前記第１通信装置にて前記既知信号を受信するステップと、
を含むことを特徴とする通信方法。
【発明の詳細な説明】
【技術分野】
【０００１】
本発明は、移動体を接続対象とする移動体通信システムに関する。
【背景技術】
【０００２】
基地局装置（第１通信装置）と、移動局装置または中継局装置（第２通信装置）とがＯＦＤＭ：Ｏｒｔｈｏｇｏｎａｌ  Ｆｒｅｑｕｅｎｃｙ  Ｄｉｖｉｓｉｏｎ  ＭｕｌｔｉｐｌｅｘｉｎｇやＯＦＤＭを用いた多元通信方式であるＯＦＤＭＡ：Ｏｒｔｈｏｇｏｎａｌ
Ｆｒｅｑｕｅｎｃｙ  Ｄｉｖｉｓｉｏｎ  Ｍｕｌｔｉｐｌｅ  Ａｃｃｅｓｓ方式を用いて無線通信を行う通信システム（例えば、ＩＥＥＥ８０２．１６シリーズ（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ
Ａｃｃｅｓｓや、ＬＴＥ：Ｌｏｎｇ  Ｔｅｒｍ  Ｅｖｏｌｕｔｉｏｎなど）では、移動局装置の移動により、ＯＦＤＭシンボルにおける各サブキャリアが、ドップラー効果によって周波数軸方向にシフトし、サブキャリア間の直交性が乱れ、互いに干渉しあうことがある。
【０００３】
無線通信システムの多くにおいて、基地局装置から移動局装置への通信であるダウンリンク時に、移動局装置が基地局装置から送信された信号へ周波数同期を行い、ドップラーシフトでずれた信号へも同期する。
【０００４】
その後、移動局装置から基地局装置への通信であるアップリンクが行われるが、この際、特に手段を講じなければ移動局はドップラーシフトでずれた信号に同期したことにより得られる信号周波数に基づいて送信信号を生成することとなる。
【０００５】
この移動局により生成された送信信号も、ダウンリンク時と同様にアップリンク時にドップラー効果を受ける。
【０００６】
このアップリンクのときに生じる周波数のずれの量は、前述のダウンリンクとアップリンクとの時間差が十分に短い場合、ダウンリンクで生じた周波数のずれの量と近い量となる。
【０００７】
これにより、アップリンク時に基地局装置が前述の移動装置から受信する信号は、ダウンリンク時に生じたずれ量と、アップリンク時に生じたずれ量とを足し合わせた量に相当する周波数のずれが生じた信号となる。
【０００８】
先行技術文献（特許文献）には、受信したＯＦＤＭ信号に含まれるパイロット信号における伝送路周波数応答を算出する手段についての記載がある。
【先行技術文献】
【特許文献】
【０００９】
【特許文献１】特開２００９−１２４３０１
【発明の概要】
【発明が解決しようとする課題】
【００１０】
前述のようなシステムでは、基地局装置が移動局装置からの信号を受信しようとする際、移動局装置が移動していることに応じた受信処理を行うことが望まれる。
【課題を解決するための手段】
【００１１】
本発明における通信システムは、第１通信装置と、第１通信装置と無線通信を行う第２通信装置とを含む通信システムであって、第２通信装置の移動性を示す移動性情報を取得する移動性情報取得部と、移動性情報に基づき、第２通信装置へ既知信号の送信を要求するか否かを決定する制御部と、要求を送信する基地局送信部と、送信された要求を受信する移動局受信部と、要求に基づき、既知信号を送信する移動局送信部と、既知信号を受信する基地局受信部と、を含むことを特徴とする。
【００１２】
またさらに、移動局送信部は、既知信号を周期的に送信する期間を有することを特徴としても良い。
【００１３】
またさらに、移動性情報は、予め第２通信装置ごとに定められた識別符号（ＩＤ）に含まれていることを特徴としても良い。
【００１４】
またさらに、第２通信装置は、移動を検出する移動検出部を備え、移動性を示す情報は、移動検出部が検出した移動に関する情報であることを特徴としても良い。
【００１５】
またさらに、第２通信装置は、移動局受信部が受信する信号に含まれる信号の波周数に基づき発信する周波数を可変する発信部を備え、移動性を示す情報は、発信部が可変した周波数の量に基づくことを特徴としても良い。
【００１６】
またさらに、移動局送信部が送信する情報は、移動性情報を含むことを特徴としても良い。
【００１７】
またさらに、第１通信装置は、複数の第２通信装置を集約する第１通信装置であり、制御部は、第２通信装置毎に要求するか否かを決定することを特徴としても良い。
【００１８】
またさらに、第１通信装置は、複数の第２通信装置を集約する第１通信装置であり、移動局送信部は、既知信号を送信する周期、及び／または周期的に送信する期間、を異ならせて既知信号を送信することを特徴としても良い。
【００１９】
本発明における第１通信装置は、第２通信装置と無線通信を行う第１通信装置であって、第２通信装置の移動性を示す移動性情報を取得する移動性情報取得部と、移動性情報に基づき、第２通信装置へ既知信号の送信を要求するか否かを決定する制御部と、要求を送信する基地局送信部と、第２通信装置が送信された要求に基づき送信した既知信号を受信する基地局受信部と、を含むことを特徴とする。
【００２０】
本発明における第２通信装置は、第２通信装置と無線通信を行う第２通信装置であって、第１通信装置が送信する、既知信号の送信を要求する旨の指示を受信する移動局受信部と、要求に基づき、既知信号を送信する移動局送信部と、を含むことを特徴とする。
【００２１】
本発明における通信方法は、第１通信装置と、第１通信装置と無線通信を行う第２通信装置とを含む通信システムにおける通信方法であって、第２通信装置の移動性を示す移動性情報を取得するステップと、移動性情報に基づき、第２通信装置へ既知信号の送信を要求するか否かを決定するステップと、第１通信装置にて要求を送信するステップと、第２通信装置にて送信された要求を受信するステップと、第２通信装置にて要求に基づき既知信号を送信するステップと、第１通信装置にて既知信号を受信するステップとを含むことを特徴とする。
【発明の効果】
【００２２】
以上説明したように、本発明によれば、第１通信装置の受信において、移動局装置が移
動していることに応じた受信処理を行うことができる。
【図面の簡単な説明】
【００２３】
【図１】本発明の実施形態に係る無線通信システム１０の構成図である。
【図２】本発明の実施形態に係る第１通信装置１００の構成ブロック図である。
【図３】本発明の実施形態に係る第２通信装置２００の構成ブロック図である。
【図４】本発明の実施形態に係る第１通信装置１００と第２通信装置２００との間で行われるやり取りの例を示したシーケンス図である。
【図５】本発明の実施形態に係る第１通信装置１００の処理手順を示すフロー図である。
【図６】本発明の実施形態に係る第１通信装置１００の処理手順の更に詳細を示すフロー図である。
【図７】本発明の実施形態に係るサブキャリアにおいて、第２通信装置２００がＳｏｕｎｄｉｎｇ（既知信号）を送信する周波数（サブキャリア）の例を示した図である。
【図８】本発明の実施形態に係る通信フレームにおいて、第２通信装置２００がＳｏｕｎｄｉｎｇ（既知信号）を送信するタイミングの例を示した図である。
【図９】本発明の実施形態に係る通信フレーム内のＢｕｒｓｔなどの配置の例である。
【発明を実施するための形態】
【００２４】
以降、図を用いて本発明の構成、動作（手順）について説明する。
【００２５】
図１は、本発明の実施形態に係る通信システム１０の構成図である。
【００２６】
第１通信装置１００は、第２通信装置２００（移動局装置）と無線通信を行う基地局装置である。
【００２７】
第２通信装置２００は、第１通信装置１００と無線通信を行う移動局装置であり、通信サービスを通信利用者（ユーザ）に提供するための通信端末装置や、鉄道その他移動物４００に取り付けられる無線中継装置として、通信利用者の持つ通信端末装置への無線通信を中継する中継局装置などである。
【００２８】
なお以降の実施形態では、第１通信装置１００と第２通信装置２００との間で用いられる通信プロトコル（通信規約）を、ＩＥＥＥ８０２．１６シリーズ（ＷｉＭＡＸ）を想定して説明する。
【００２９】
通信ネットワーク３００は、第１通信装置１００の他にも通信装置やサーバ装置などが接続された通信網であり、例えば、インターネット網や、ＩＳＤＮ網などである。
【００３０】
移動物４００は、第２通信装置２００が取り付けられた、鉄道車両や自動車などの移動物である。
【００３１】
この通信システム１０では、第１通信装置１００は、第２通信装置２００と、無線通信のための通信プロトコルを用いて通信をおこなう。
【００３２】
この通信プロトコルには、例えばＩＥＥＥ８０２．１６シリーズ（ＷｉＭＡＸ）や、ＬＴＥなどが適用される。以下、本実施例では、ＷｉＭＡＸを用いた例を示す。
【００３３】
図２は、本発明の第１の実施形態に係る第１通信装置１００の構成ブロック図である。
【００３４】
個々の構成について、以下に説明をする。
【００３５】
アンテナ１１０は、本発明における第１通信装置１００が無線通信のために用いるアンテナである。
【００３６】
このアンテナ１１０は、複数のアンテナ素子で構成されたアレーアンテナを用いても良い。
【００３７】
図２の構成では、４素子のアレーアンテナにより構成された例を示している。
【００３８】
無線部１２０は、アンテナ１１０により受信した無線信号の増幅や、アンテナ１１０より送信する無線信号を出力するための増幅を行う。
【００３９】
スイッチ１２４（１２４−１，１２４−２，１２４−３，１２４−４）は、本実施例の通信方式のようなＴＤＭＡ方式の通信方式を用いる際に、アンテナ１１０と説側を送信時と受信時とで切り替えるために用いる。
【００４０】
受信部１２６（１２６−１，１２６−２，１２６−３，１２６−４）は、アンテナ１１０の各素子より受信した信号を、スイッチ１２４を介して受け取り、増幅や周波数変換（ダウンコンバート）などを行う。
【００４１】
送信部１２８（１２６−１，１２６−２，１２６−３，１２６−４）は、入力された信号を周波数変換（アップコンバート）や増幅をし、スイッチ１２４を介してアンテナ１１０の各素子へ出力する。
【００４２】
復調部１４０は、通信プロトコルを実施するために必要となる復調のほかに、第２通信装置２００が移動することにより生じるドップラー効果などの影響からなる周波数ずれを補正するための機能を含む。
【００４３】
周波数補正処理１４４（１４４−１，１４４−２，１４４−３，１４４−４）は、ドップラー効果などにより周波数ずれが生じた受信信号に対し、周波数を戻すよう補正を施す処理を行う。
【００４４】
具体的には、例えば受信信号に生じた周波数ずれ量が相殺されるような周波数の信号の供給を受け、受信信号に対し乗算するように構成される。
【００４５】
なお、周波数補正を行わない場合は、信号を無処理で通過させるか、振幅１の直流成分（０Ｈｚなど）を乗算する。
【００４６】
ＦＦＴ１４６（１４６−１，１４６−２，１４６−３，１４６−４）は、ＯＦＤＭ信号に変調されている受信信号の復調を行う。
【００４７】
この際、ドップラー効果の影響などを受けた信号が、周波数補正されずに入力されると、このＦＦＴ１４６においてサブキャリア間干渉などが生じる。
【００４８】
なお、サブキャリア間干渉は、ＦＦＴ処理後の周波数軸方向に各サブキャリアが、ドップラー効果による周波数偏差量に応じずれることにより生じる。この量は、基地局装置が、動きの異なる複数の第２通信装置２００からの信号を受信した場合、第２通信装置２００ごとに異なる量の周波数偏差が現われる。
【００４９】
周波数補正処理１４４はこのような周波数偏差の量が異なる信号が混在していても、第２通信装置２００ごとに周波数補正を行えるよう、一時的に受信信号を記憶する記憶部を
含み、異なる周波数偏差量ごとの補正処理を繰り返し行えるように構成されても良い。
【００５０】
周波数偏差量推定１５０は、受信信号がドップラー効果などにより受けた周波数の偏差量、或いはずれ量を推定する。この推定結果に基づき周波数補正処理１４４における周波数補正量を求める。求めた周波数補正量に基づき周波数補正処理１４４へ、補正のための情報を出力する。
【００５１】
なお周波数偏差量推定１５０は、図２の実施例では、アンテナ素子ごとに設けられたＦＦＴ１４６毎に信号を取得しているが、必ずしも全てのアンテナ素子から信号を得る必要は無く、一部の素子から信号を取得しても良い。
【００５２】
また、複数のアンテナ素子から情報を得た場合、周波数補正処理１４４に送る補正量は、必ずしもアンテナ素子ごとに個別に求めなくてもよく、複数の素子から得られるずれ量を平均し用いても、選択して用いても良い。
【００５３】
また、複数の周波数補正処理１４４へ送る補正量は、平均した補正量を共通に用いても良い。
【００５４】
或いは、周波数補正処理１４４を選択して補正量を適用しても良い。
【００５５】
また、周波数偏差量推定１５０は、受信信号の状態に応じて周波数補正処理１４４へ周波数補正量を適用するか否かの動作を切り替えても良い。
【００５６】
この受信信号の状態は、例えば周波数補正量の時間に対する変化が比較的速く、補正を実行しないほうが良いと判断できる場合には補正処理を行わないようにすることができる。なお、このように補正処理を行わない場合の周波数補正処理１４４へ伝える値として、補正量を振幅１角度０°を用いても良い。
【００５７】
周波数偏差量推定１５０は、異なる動きをする複数の第２通信装置２００より信号を受信した場合、第２通信装置２００ごとに異なる量の周波数偏差量を推定する。
【００５８】
周波数補正処理１４４に受信信号を記憶する記憶部がある場合、異なる第２通信装置２００ごとに求められた周波数偏差量を、記憶した同じ受信信号に対し乗算するなどの処理を行うことが出来る。
【００５９】
このようにすることで、複数の第２通信装置２００ごとの信号に対し、周波数補正処理を行うことが出来る。
【００６０】
アレーアンテナ処理部１４８は、複数のアンテナ素子により得られた信号を用いて、信号処理を行う。
【００６１】
この信号処理には、アダプティブアレーアンテナやスマートアンテナと呼ばれるアンテナ指向性制御や、アンテナダイバーシティ、最大比合成、ＳＤＭＡ方式或いはＭＩＭＯ方式などによる空間多重処理などを組み合わせるなどの利用できる。
【００６２】
これらの信号処理の多くは、アンテナ素子ごとやＦＦＴ１４６により分離された周波数ごとの信号に重み付け、合成を行う。
【００６３】
チャネル推定１５２は、第２通信装置２００から基地局装置までの電波伝搬路を推定し、合成や補正などを行う。例えばレイク合成によりマルチパスの影響を軽減するように構
成される。
【００６４】
イコライザ１５４は、例えば電波伝播路におけるフェーディングなどの影響を軽減するように構成される。
【００６５】
通信プロトコル復調処理１５６は、前述した構成以外にも用いる通信プロトコルに応じて必要となる復調処理を行う。例えば多値変調、冗長処理、エラー訂正などの処理を行う。
【００６６】
ＭＡＣ層／上位層処理１７０は、通信プロトコルに則ったＭＡＣ層処理や、アプリケーションに関する処理、または、通信ネットワーク３００とのインターフェイス処理などを行う。
【００６７】
制御部１８０は、第１通信装置１００の構成部分の制御を行う。
【００６８】
図２の例では、制御部１８０からの信号線は無線部１２０、復調部１４０、ＭＡＣ層／上位層処理１７０、変調部１９０に接続されているが、これにより各ブロックの制御を行う。
【００６９】
例えば制御部１８０は、無線部１２０に対し、スイッチ１２４の切り替え、受信部１２６の受信周波数設定、受信部１２６の増幅率、送信部１２８の送信周波数設定、送信部１２８の送信電力、などを制御する。
【００７０】
例えば制御部１８０は、復調部１４０に対し、周波数補正処理１４４による補正実施の可否、周波数偏差量推定１５０が用いる既知信号の選択、補正量の平均処理を行うか否かの決定、選択する場合の制御、などを行う。なお、既知信号には例えば、第２通信装置が第１通信装置での伝播路推定などのためにアップリンク（ＵＬ）で送信するＳｏｕｎｄｉｎｇ（サウンディング信号）、第２通信装置が第１通信装置に同期するために第１通信装置からダウンリンク（ＤＬ）で送信されるＰｒｅａｍｂｌｅ（プリアンブル信号）、ＵＬ／ＤＬいずれにおいて、ＯＦＤＭまたはＯＦＤＭＡに用いるフレーム中の所定サブキャリアおよび所定シンボルの位置に既知情報を配置することによりフレーム内の同期を行うための信号であるＰｉｌｏｔ（パイロット信号）、第２通信装置ごとに割り当てられたＵＬ−Ｂｕｒｓｔ（アップリンクバースト信号）で既知の情報を送信することにより得られる既知信号などを用いても良い。
【００７１】
なお、第２通信装置が受信したＰｒｅａｍｂｌｅを利用する場合は、第２通信装置にて周波数オフセットや受信品質を検出し、その情報を第１通信装置に送ることにより、周波数補正処理を行っても良い。
【００７２】
例えば制御部１８０は、アレーアンテナ処理部１４８に対し、適応アルゴリズムの選択を行う。
【００７３】
例えば制御部１８０は、変調部１９０に対し、ＭＡＣ層／上位層処理１７０より得られる信号に対し、通信プロトコルにしたがって送信できるよう変調を行う。
【００７４】
前述の実施例では、復調部１４０内における構成として、周波数偏差量推定１５０にＦＦＴ１４６の出力が直接入力されるように図示されているが、実際の構成において、必ずしもこのように接続されるとは限らない。
【００７５】
例えばＦＦＴ１４６やその他幾つかの処理部をＩＣ（Ｉｎｔｅｇｒａｔｅｄ  Ｃｉｒｃ
ｕｉｔ）に集約した回路に周波数偏差推定１５０や、周波数補正処理１４４を接続することにより本発明の効果を得ようとした場合、都合よくＦＦＴ１４６の出力信号がＩＣの端子より得られるとは限らず、ＦＦＴ１４６の処理のあとに他の信号処理が行われた信号しか得られない場合がある。
【００７６】
このような場合、周波数偏差量推定１５０には、ＦＦＴ１４６の後に行われる信号処理と逆の処理を行う処理部を含むように構成しても良い。
【００７７】
図３は、本発明の実施形態に係る第２通信装置２００の構成ブロック図である。
【００７８】
第２通信装置２００は、第１通信装置１００と無線通信を行う移動局装置であり、例えばユーザごとに通信サービスの利用を可能とする通信端末装置や、車両などの移動物４００に取り付けられる中継局装置などである。
【００７９】
アンテナ２１０は、前述の第１通信装置１００との通信を行うために用いられる。
【００８０】
無線部２２０は、アンテナ２１０より移動局受信信号をうけ、移動局送信信号をアンテナ２１０へ出力する。
【００８１】
復調部２４０は、無線部２２０より受信信号を受け、通信プロトコルに則った復調を行い、ＭＡＣ層／上位送処理２７０にわたす。
【００８２】
復調部２４０或いは無線部２２０は、復調に必要な周波数の信号生成する局部発振器を含む。この局部発信機は、受信信号を基に発信周波数を変化させることにより受信信号に同期しようとする。
【００８３】
変調部２９０は、ＭＡＣ層／上位送処理２７０からの信号へ通信プロトコルに則った変調を行い、無線部２２０へ送る。
【００８４】
移動性検出部２５０は、前述の局部発信機の動作やなどに基づき、第２通信装置２００が移動している可能性の検出や、移動の速度が所定の速度より大きい可能性の検出を行う。この検出方法としては、受信した信号に生じた時間あたりの周波数変動範囲や、周波数変動量の分散値などを蓄積し、レーリフェーディングなどの現象と照らし合わせることにより、移動速度を推定する方法が採りうる。
【００８５】
ＭＡＣ層／上位層処理部２７０は、復調部２４０で得られた受信信号に対し通信プロトコルに則ったＭＡＣ層以降の処理を行う。
【００８６】
他通信部２８２は、第２通信装置２００が中継装置であれば、ＭＡＣ層／上位層処理部２７０と情報をやり取りすることにより、第一通信装置と、他通信部２８２を介して通信を行う他の通信装置との間で通信を中継する。
【００８７】
表示部２８４は、第２通信装置２００が情報端末としてユーザ利用できる通信端末装置であれば、通信を利用する通信端末ユーザへのユーザインタフェイスとして機能し、無線信号の受信状態表示や、通信により得られる情報を表示する物であっても良い。
【００８８】
操作部２８６は、第２通信装置２００が情報端末としてユーザ利用できる通信端末装置であれば、情報端末のユーザインタフェイスとして機能し、キー入力などをおこなうための物であっても良い。
【００８９】
制御部２８０は、第２通信装置２００を構成する各ブロックを適宜制御する。
【００９０】
記憶部２６０は、第２通信装置２００が通信プロトコル上で必要と定められた装置ＩＤである識別符号や、通信プロトコルで定められた送受信に必要となる既知信号が記憶されている。
【００９１】
なお、記憶部２６０は、図３では制御部２８０に接続されているが、ＭＡＣ層／上位層処理２７０に含まれるように構成されても良い。
【００９２】
図４は、本発明の実施形態に係る第１通信装置１００（基地局装置）と第２通信装置２００（移動局装置）との間で行われるやり取りの例を示したシーケンス図である。
【００９３】
以降、手順を追って示す。
【００９４】
まず、第１通信装置１００は定期的にＰｒｅａｍｂｌｅ信号を送信している（ステップＳ５０２）。
【００９５】
そこへ、第２通信装置２００が起動し、動作を開始する（ステップＳ５０４）。
【００９６】
第２通信装置２００は、第１通信装置１００が送信したＰｒｅａｍｂｌｅ信号を受信することにより、受信したＰｒｅａｍｂｌｅ信号に同期しようとする（ステップＳ５０６）。
【００９７】
第２通信装置２００がＰｒｅａｍｂｌｅ信号を受信できる状況となる（ステップＳ５０８）。
【００９８】
第２通信装置２００は、Ｐｒｅａｍｂｌｅ信号が受信できたことにより、同期を確立し、そのほかの受信動作を開始する（ステップＳ５１０）。なお、同期を確立する動作は、第１通信装置１００との図示されないやり取りを経る場合も有る。
【００９９】
第２通信装置２００が同期を確立したことにより、第１通信装置１００ＯＦＤＭ通信フレームにおけるサブキャリア・シンボル平面における通信情報の配置を示すＭＡＰ情報を受信することができるようになる。図４ではＯＦＤＭＡにおけるアップリンク時のためのＭＡＰ情報であるＵＬ−ＭＡＰと、ダウンリンク時のためのＭＡＰ情報であるＤＬ−ＭＡＰが、第１通信装置１００より送信され、第２通信装置２００で受信されることによりＭＡＰ情報の共有が行われる（ステップＳ５１２）。
【０１００】
第２通信装置２００は、第１通信装置１００との通信を開始するための初期情報を伝達する。この中には初期レンジングのためのＣＤＭＡコードが含まれる（ステップＳ５１４）。
【０１０１】
第２通信装置２００は、第１通信装置１００よりＵＬ−ＭＡＰのＣＤＭＡ−ＡｌｌｏｃａｔｉｏｎＩＥ（）メッセージを受信する（ステップＳ５１６）。
【０１０２】
第２通信装置２００は、第１通信装置１００へＲＮＧ−ＲＥＱメッセージを送る（ステップＳ５１８）。
【０１０３】
第１通信装置１００は、第２通信装置２００へＲＮＧ−ＲＳＰメッセージを送る（ステップＳ５２０）。
【０１０４】
第１通信装置１００と第２通信装置２００は、ネットワークエントリー作業を行う（ステップＳ５２２）。
【０１０５】
第２通信装置２００は、第１通信装置１００からの信号を受信することにより、ＣＱＩＣＨ情報としてＣＩＮＲを測定する（ステップＳ５２４）。
【０１０６】
第２通信装置２００は、ＣＱＩＣＨ情報を第１通信装置１００へ送信する。併せて、予め検出しておいた第２通信装置２００の移動性に関する情報も、このタイミングで第１通信装置１００へ送っても良い（ステップＳ５２６）。
【０１０７】
第１通信装置１００は、通信プロトコルに則りＢｕｒｓｔタイプ（変調方式やリソース割当情報）を決定する（ステップＳ５２８）。
【０１０８】
第１通信装置１００は、取得したＣＱＩＣＨ情報や第２通信装置２００の移動性に関する情報、第２通信装置２００からの信号を受信することにより得られる受信状態などから、高速移動ユーザか否かを判断する（ステップＳ５３０）。
【０１０９】
第１通信装置１００は、ステップＳ５３０にて高速移動ユーザと判断（Ｙｅｓ）した場合に、Ｓｏｕｎｄｉｎｇ（既知信号）使用ユーザ（既知信号を送信させる第２通信装置２００）として認識し、記憶部に登録する（ステップＳ５３２）。
【０１１０】
第１通信装置１００は、第２通信装置２００へＵＬ−ＭＡＰ、ＤＬ−ＭＡＰを送信する（ステップＳ５３４）。
【０１１１】
第１通信装置１００と第２通信装置２００は、データ通信を開始する（ステップＳ５３６）。
【０１１２】
第２通信装置２００は、送信Ｂｕｒｓｔを生成、或いは生成する準備をする（ステップＳ５３８）。
【０１１３】
第２通信装置２００は、第１通信装置１００から受信したＵＬ−ＭＡＰ情報から、Ｓｏｕｎｄｉｎｇを生成すべきか判断する（ステップＳ５４０）。
【０１１４】
第２通信装置２００は、ステップＳ５４０にて、Ｓｏｕｎｄｉｎｇを生成する（Ｙｅｓ）と判断した場合、Ｓｏｕｎｄｉｎｇを生成し、送信する準備を行う（ステップＳ５４２）。もし、ステップＳ５４０にて生成しない（Ｎｏ）と判断した場合、Ｓｏｕｎｄｉｎｇを用いない送信の準備を行う。
【０１１５】
第２通信装置２００は、ＵＬフレームを送信する（ステップＳ５４４）。このときステップＳ５４０にてＳｏｕｎｄｉｎｇを使用すると判断されている場合は、生成したＳｏｕｎｄｉｎｇも送信する。
【０１１６】
第１通信装置１００は、ステップＳ５４４を経ることにより受信した第２通信装置２００（ユーザ毎）からＳｏｕｎｄｉｎｇが得られている場合に周波数オフセット量を推定する（ステップＳ５４６）。
【０１１７】
第１通信装置１００は、Ｄａｔａ領域から周波数オフセット量（周波数偏差量）を推定する（ステップＳ５４８）。この際、Ｄａｔａ領域にあるＰｉｌｏｔ信号やそのほかの既知信号を、重畳されている変調（位相・振幅）を解除するなどし、利用する。
【０１１８】
第１通信装置１００は、ステップＳ５４６或いはステップＳ５４８などにより得られた周波数オフセット量に基づき、受信信号に対し周波数補正処理を行う（ステップＳ５５０）。
【０１１９】
前述のように、第１通信装置１００と第２通信装置２００とが通信を継続している際に、第２通信装置２００は定期的にＣＱＩＣＨ情報を第１通信装置１００へ送信する（ステップＳ５５２）。
【０１２０】
第１通信装置１００は、この定期的に送られてくるＣＱＩＣＨ情報に基づき、ＣＱＩＣＨ情報を送った第２通信装置２００毎に高速移動をしているか否かを定期的に検出しても良い。
【０１２１】
第１通信装置１００は、ステップＳ５５２を経ることにより、以降の通信で第２通信装置２００より送信させるＢｕｒｓｔタイプを決定する（ステップＳ５５４）。このＢｕｒｓｔタイプの決定は、高速移動していることを検出した第２通信装置２００（高速移動ユーザ）に対して定期的にＳｏｕｎｄｉｎｇを送信させることを決定する、或いは高速移動していると検出できなかった第２通信装置２００に対して従来からのプロトコルに従ったタイミングでのＳｏｕｎｄｉｎｇ送信を行うことを決定しても良い。
【０１２２】
第１通信装置１００は、第２通信装置２００が高速移動ユーザであった場合にＳｏｕｎｄｉｎｇ使用ユーザとして記憶部に登録し、以降の通信においても、高速移動ユーザとして通信を行うようにしても良い（ステップＳ５５６）。またこの登録は、第２通信装置２００毎に通信のセッションが１度終了した後も所定期間保持することにより、同じ第２通信装置２００と改めて通信セッションを開始した際、初期段階から高速移動ユーザとしてＳｏｕｎｄｉｎｇを定期的に送信するよう第１通信装置１００がＤＬ−ＭＡＰの設定を行うなどの動作をしても良い。
【０１２３】
前述の実施例では、第２通信装置２００を高速移動ユーザとして判別するために、第１通信装置１００側でＰｉｌｏｔ信号などの既知信号を用いて移動速度を推定したが、この他にも第２通信装置２００が移動速度に関する情報を第１通信装置１００へ通信を介して提供することにより推定しても良い。
【０１２４】
例えば、第２通信装置２００が送信するＣＱＩＣＨや、ＣＱＩＣＨに関する情報を送信する信号に、ＣＱＩＣＨ以外の移動速度に関する情報を付加し第１通信装置１００へ送信しても良い。
【０１２５】
この付加する情報としては、例えば第２通信装置２００が、ＧＰＳ（Ｇｌｏｂａｌ  Ｐｏｓｉｔｉｏｎｉｎｇ  Ｓｙｓｔｅｍ）受信機を用いた位置情報を取得できる場合は、ＧＰＳ受信機からの情報に基づく移動速度情報で有ってもよい。
【０１２６】
第１通信装置１００が第２通信装置２００を高速移動ユーザとして判別する方法として、第２通信装置２００が個別に持つＩＤ（ＩＤｅｎｔｉｆｉｃａｔｉｏｎ）を通信により第１通信装置１００で取得し用いても良い。
【０１２７】
例えば、高速移動する環境で用いられることが予測できる第２通信装置２００のＩＤを、予め第１通信装置１００にある記憶部或いは通信ネットワーク３００上のサーバ装置にある記憶部に、高速移動ユーザとして記憶しておくことで、第１通信装置１００と通信を開始した第２通信装置２００のＩＤを照合し高速移動ユーザと判別することが可能となる。
【０１２８】
なお、ＩＤの一部に高速移動ユーザを示す部分を設けることにより識別しても良い。この場合、予め記憶部にＩＤを記憶する必要性を軽減できる。
【０１２９】
図５は、本発明の実施形態に係る第１通信装置１００が行う処理の手順を示すフロー図である。
【０１３０】
まず、第１通信装置１００の全体の処理から、受信を行う処理の一部として発明の処理を含む第１通信装置１００受信処理が呼び出される（ステップＳ６０２）。
【０１３１】
はじめに、変数の初期値を設定する。例えば、ＵＬＳｙｍ＿Ｎｕｍにアップリンクのシンボル数である「ＵＬシンボル数」を設定する（ステップＳ６０４）。
【０１３２】
続いて、受信したＯＦＤＭシンボルごとの処理をＯＦＤＭシンボル数分繰り返すためのループを形成する（ステップＳ６０５、およびステップＳ６２８）。なお、図５のフローは、「Ｃｎｔ＿ｓｙｍ：１，ＵＬＳｙｍ＿Ｎｕｍ（ステップＳ６０５）」と「Ｃｎｔ＿ｓｙｍ（ステップＳ６２８）」がループ端を示し、Ｃｎｔ＿ｓｙｍが１からＵＬＳｙｍ＿Ｎｕｍまで１ずつ増加しながらループ端（ステップＳ６０５およびステップＳ６２８）に挿まれた処理を繰り返すことを意味する。
【０１３３】
続いて、アンテナ素子ごとに得られた受信信号に対しＦＦＴ処理（ステップＳ６０８）を施す。なお図５のフローは、「Ｃｎｔ＿ａｎｔ：１，ＡＮＴ  ＿ＮＵＭ（ステップＳ６０６）」と「Ｃｎｔ＿ａｎｔ（ステップＳ６１０）」がループ端を示し、Ｃｎｔ＿ａｎｔが１からＡＮＴ＿ＮＵＭ（アンテナ素子数）になるまで１ずつ増加しながらループ単（ステップＳ６０６およびステップＳ６１０）に挿まれた処理（ステップＳ６０８）を繰り返すことを意味する。
【０１３４】
続いて、受信した信号をアンテナ素子ごとにＦＦＴ処理した信号に、第２通信装置２００から送信されるＳｏｕｎｄｉｎｇが含まれているか否かを判断する（ステップＳ６１２）。
【０１３５】
もし、Ｓｏｕｎｄｉｎｇが含まれていれば（Ｙｅｓ）、ステップＳ６２２までジャンプする。
【０１３６】
もし、Ｓｏｕｎｄｉｎｇが含まれていなければ（Ｎｏ）、ステップＳ６２２手前までの処理を実行する。
【０１３７】
続いて、アンテナ素子ごとに得られた受信信号に対し、ループ端（ステップＳ６１３）およびループ端（ステップＳ６１８）に挿まれたＤｅｐｅｒｍｕｔａｔｉｏｎ処理（ステップＳ６１４）およびＳｕｂｃｈａｎｎｅｌ  Ｒａｎｄｏｍｉｚａｔｉｏｎ処理（ステップＳ６１６）を施す。ループの繰り返し方は、ループ端（ステップＳ６０６）からループ端（ステップＳ６１０）の場合と同様である。
【０１３８】
続いて、アンテナ素子ごとにＤｅｐｅｒｍｕｔａｔｉｏｎ処理およびＳｕｂｃｈａｎｎｅｌ  Ｒａｎｄｏｍｉｚａｔｉｏｎ処理を施した受信信号を用いてＭＲＣ（ｍａｘｉｍｕｍ  ｒａｔｉｏ  ｃｏｍｂｉｎｉｎｇ：最大比合成）受信を行う（ステップＳ６２０）。
【０１３９】
第１通信装置１００受信処理では、この時点で処理対象となっている信号の送信元である第２通信装置２００が高速移動ユーザか否かを判断する（ステップＳ６２２）。もし、高速ユーザであれば（Ｙｅｓ）周波数オフセット推定および補正の処理（サブルーチン）を呼び、実行する（ステップＳ６２４）。また、高速ユーザでなければ（Ｎｏ）ステップ
Ｓ６２４の処理を実行せずに次の処理に進む。なお、周波数オフセット推定および補正の処理（サブルーチン）の処理については別途詳細を後述する。
【０１４０】
続いて、受信した信号の復調処理（以降の処理含む）を行うＤｅｃｏｄｅ（Ｓ６２８）
【０１４１】
続いて、ステップＳ６０２からの第１通信装置１００受信処理を呼び出し基に戻りそのたの処理を継続する（ステップＳ６３０）。
【０１４２】
図６は、本発明の実施形態に係る第１通信装置１００の処理手順の更に詳細を示すフロー図である。
【０１４３】
まず、図５のステップＳ６２４より周波数オフセット推定および補正の処理として、このフローが呼び出される（ステップＳ６５２）。
【０１４４】
続いて、周波数オフセット推定処理（ステップＳ６５４）を行う。ここでは例えば、Ｐｉｌｏｔ信号などの既知信号を受信した際にアンテナ素子ごとに得られるＦＦＴ処理後の信号と既知信号とを比較することにより、電波伝搬路で生じたドップラーシフトなどの影響を周波数オフセットとして推定する（ステップＳ６０４）。
【０１４５】
続いて、周波数補正処理を実施するか否かを判断する（ステップＳ６５６）。これは、例えば過去のシンボルにおける周波数オフセット推定結果を保持することにより、周波数オフセットの変化を観測し、変化の量が所定値以下であるときに周波数補正を実施する（Ｙｅｓ）、所定値より大きければ周波数補正を実施しない（Ｎｏ）と判断する。
【０１４６】
これにより、第２通信装置２００や電波伝播路中にある遮蔽物や反射物などの移動により生じるドップラーシフト量または周波数オフセット量の変動が大きい場合など、周波数補正の効果がシンボル間で大きく異なってしまう場合に、特定の補正値により補正を実行するよりも、補正自体を行わない（或いは振幅１位相０度の重み付けにより補正を実行する）ようにしても良い。
【０１４７】
ステップＳ６５６の判断により、周波数補正を実施する（Ｙｅｓ）場合、周波数補正値を決定する（ステップＳ６５８）。
【０１４８】
補正値は、例えば既知信号を受信した信号をＦＦＴ処理し、既知信号で除算することにより得られる信号をＩＦＦＴ（逆ＦＦＴ）することなどにより決定することができる。また、アンテナ素子ごとに得られた補正値を平均した値に決定しても良い。或いは、アンテナ素子ごとに得られた値をアンテナ素子ごとの補正値として決定しても良い。
【０１４９】
続いて、決定した周波数補正値を用いて周波数補正を実施する（ステップＳ６６２）。
【０１５０】
ステップＳ６５６の判断により、周波数補正を実施しない（Ｎｏ）場合は、ステップＳ６５８の処理およびステップＳ６６０の処理を実行しない。
【０１５１】
続いて、ステップＳ６５２を呼び出した呼び出し基にもどる（ステップＳ６６２）。
【０１５２】
図７は、本発明の実施形態に係るサブキャリアの並びに対し、第２通信装置２００がたとえばＳｏｕｎｄｉｎｇのような既知信号を送信する周波数（サブキャリア）の例を示した図である。
【０１５３】
なお、図７は論理的にサブキャリアの並びを周波数軸上に示した物であるが、サブキャ
リア間の周波数的間隔やサブキャリア自体の物理的な周波数帯域幅を反映した図ではない。
【０１５４】
図７中のサブキャリア列７０２は、論理的なサブキャリアの並ふ周波数を四角形の枠で示している。この実施例において、各サブキャリアは、ＯＦＤＭＡ方式により複数の第２通信装置２００からの送信信号が多重化されている。
【０１５５】
ユーザ１の既知信号サブキャリア７０４は、第１の第２通信装置２００（ユーザ１）が、第１通信装置１００の指示（ＵＬ−ＭＡＰなど）に従い、既知信号（Ｓｏｕｎｄｉｎｇ）を送信するサブキャリアである。
【０１５６】
ユーザ２の既知信号サブキャリア７０６は、第２の第２通信装置２００（ユーザ２）が、第１通信装置１００の指示（ＵＬ−ＭＡＰなど）に従い、既知信号（Ｓｏｕｎｄｉｎｇ）を送信するサブキャリアである。
【０１５７】
その他のサブキャリア７０８は、複数ある第２通信装置２００のいずれもが、第１通信装置１００の指示に従ったＳｏｕｎｄｉｎｇの送信を行っていないサブキャリアである。
【０１５８】
第１通信装置１００が周波数補正を実行するために、周波数オフセット量を推定できるようＳｏｕｎｄｉｎｇを第２通信装置２００に送信させるが、この周波数を図７のように複数ある第２通信装置２００それぞれで異ならせることにより、各第２通信装置２００が任意のＯＦＤＭＡフレームをＳｏｕｎｄｉｎｇに用いることが出来る。
【０１５９】
第２通信装置２００からのＳｏｕｎｄｉｎｇは、第２通信装置２００の高速移動が検出される間は、図７に示すようにＳｏｕｎｄｉｎｇをより多くのサブキャリアを用いて送信させるようにすることで、逐次精度の高い周波数オフセット補正を行うことが出来る。
【０１６０】
このため、Ｓｏｕｎｄｉｎｇのサブキャリア数は、検出される周波数オフセットの量や、移動に関する情報から推定される移動速度に応じて、第２通信装置２００ごとに異ならせてもよい。
【０１６１】
図８は、本発明の実施形態に係る通信フレームの並びに対し、第２通信装置２００がたとえばＳｏｕｎｄｉｎｇのような既知信号を送信するタイミングの例を示した図である。
【０１６２】
なお図８は、論理的にフレームの並びを時間軸上に示した物であるが、フレーム間にある時間的間隔やフレーム自体の物理的長さを反映した図ではない。
【０１６３】
図８中のフレーム列８０２は、論理的なフレームの並ぶタイミングを四角形の枠で示している。この実施例において各フレームは、ＯＦＤＭＡ方式により複数の第２通信装置２００からの送信信号が多重化されている。
【０１６４】
ユーザ１の既知信号送信フレーム８０４は、第１の第２通信装置２００（ユーザ１）が、第１通信装置１００の指示に従いＳｏｕｎｄｉｎｇを含むフレームを送信するタイミングである。
【０１６５】
ユーザ２の既知信号送信フレーム８０６は、第２の第２通信装置２００（ユーザ２）が、第１通信装置１００の指示に従いＳｏｕｎｄｉｎｇを含むフレームを送信するタイミングである。
【０１６６】
その他のフレーム８０８は、複数ある第２通信装置２００のいずれもが、第１通信装置
１００の指示に従ったＳｏｕｎｄｉｎｇの送信を行っていないフレームのタイミングである。
【０１６７】
第１通信装置１００が周波数補正を実行するために、周波数オフセット量を推定できるようＳｏｕｎｄｉｎｇを第２通信装置２００に送信させるが、このタイミングを図８のように複数ある第２通信装置２００それぞれで異ならせ、各第２通信装置２００がＯＦＤＭＡサブキャリアの全帯域をＳｏｕｎｄｉｎｇに用いることが出来るようにする。
【０１６８】
第２通信装置２００からのＳｏｕｎｄｉｎｇは、第２通信装置２００の高速移動が検出される間は、図８のように定期的に送信させるようにすることで、逐次精度の高い周波数オフセット補正を行うことが出来る。
【０１６９】
このため、Ｓｏｕｎｄｉｎｇの送信周期は、検出される周波数オフセットの量や、移動に関する情報から推定される移動速度に応じて、第２通信装置２００ごとに異ならせてもよい。
【０１７０】
また、第２通信装置２００のＩＤなどにより、高速移動することがあらかじめ予測できる場合は、通信対象となる第１通信装置１００のＩＤに応じてＳｏｕｎｄｉｎｇ送信周期を決定してもよい。
【０１７１】
また、図７に示したＳｏｕｎｄｉｎｇのサブキャリアの配置と組み合わせて用いても良い。
【０１７２】
図９は、本発明の実施形態に係る通信フレーム内のＢｕｒｓｔなどの配置の例である。
【０１７３】
１フレーム９０２は、第１通信装置１００から第２通信装置２００へ送信されるＤＬフレーム９１０と、第２通信装置２００から第１通信装置１００へ送信されるＵＬフレーム９２０とから構成されている。
【０１７４】
ＤＬフレーム９１０は、複数の第２通信装置２００が共通に参照するＰｒｅａｍｂｌｅ９１２、ＦＣＨ、ＤＬ−ＭＡＰ９１４、ＵＬ−ＭＡＰ９１６がある。
【０１７５】
またＤＬフレーム９１０は、ＤＬ−ＭＡＰ９１４により提供される情報に基づき複数ある第２通信装置２００のいずれかに割り当てられるＤＬ−Ｂｕｒｓｔ９１８がある。
【０１７６】
ＵＬフレーム９２０には、ＵＬ−ＭＡＰ９１６にて予め指定された第２通信装置２００により送信されるＳｏｕｎｄｉｎｇ９２２と、ＵＬ−ＭＡＰ９１６にて第２通信装置２００ごとに予め指定されたＵＬ−Ｂｕｒｓｔ９２４がある。
【０１７７】
これらを用いた本発明の一実施例としては、第１通信装置１００が高速移動していると認識した第２通信装置２００に対し、ＤＬ−ＭＡＰ９１４を用いてＳｏｕｎｄｉｎｇ９２２を送信させることにより、第１通信装置１００にてＳｏｕｎｄｉｎｇを用いた周波数補正処理を実行できる。
【０１７８】
或いは、第１通信装置１００が高速移動していると認識した第２通信装置２００に対し、ＤＬ−Ｂｕｒｓｔを用いてメッセージを送り、第２通信装置２００がＵＬバースト９２４にて既知信号を送信するように支持することにより、第１通信装置１００にて既知信号を用いた周波数補正処理を実行できるようにしてもよい。
【０１７９】
或いは、第１通信装置１００は、第２通信装置２００が送信するＰｉｌｏｔ信号或いは
Ｐｉｌｏｔ信号に相当する既知信号を受信することにより、周波数補正処理を実行できるようにしてもよい。
【符号の説明】
【０１８０】
１０…通信システム、
１００…第１通信装置、
１１０…アンテナ、
１２０…無線部、
１２４，１２４−１，１２４−２，１２４−３，１２４−４…スイッチ、
１２６，１２６−１，１２６−２，１２６−３，１２６−４…受信部、
１２８，１２８−１，１２８−２，１２８−３，１２８−４…送信部、
１４０…復調部、
１４４，１４４−１，１４４−２，１４４−３，１４４−４…周波数補正処理、
１４６，１４６−１，１４６−２，１４６−３，１４６−４…ＦＦＴ、
１４８…アレーアンテナ処理部、
１５０…周波数偏差量推定、
１５２…チャネル推定、
１５４…イコライザ、
１５６…通信プロトコル復調処理、
１７０…ＭＡＣ層／上位送処理、
１８０…制御部、
１９０…変調部、
２００…第２通信装置、
２１０…アンテナ、
２２０…無線部、
２４０…復調部、
２９０…変調部、
２５０…移動性検出部、
２６０…記憶部、
２７０…ＭＡＣ層／上位層処理部、
２８０…制御部、
２８２…他通信部、
２８４…表示部、
２８６…操作部、
３００…通信ネットワーク、
４００…移動物、
７０２…サブキャリア列、
７０４…ユーザ１の既知信号サブキャリア、
７０６…ユーザ２の既知信号サブキャリア、
７０８…その他のサブキャリア、
８０２…フレーム列、
８０４…ユーザ１の既知信号送信フレーム、
８０６…ユーザ２の既知信号送信フレーム、
８０８…その他のフレーム、
９０２…１フィレーム、
９１０…ＤＬフレーム、
９１２…Ｐｒｅａｍｂｌｅ、
９１４…ＤＬ−ＭＡＰ、
９１６…ＵＬ−ＭＡＰ、
９１８…ＤＬ−Ｂｕｒｓｔ、
９２０…ＵＬフレーム、
９２２…Ｓｏｕｎｄｉｎｇ、
９２４…ＵＬ−Ｂｕｒｓｔ
【図１】
2011155382.tif 000003
【図２】
2011155382.tif 000004
【図３】
2011155382.tif 000005
【図４】
2011155382.tif 000006
【図５】
2011155382.tif 000007
【図６】
2011155382.tif 000008
【図７】
2011155382.tif 000009
【図８】
2011155382.tif 000010
【図９】
2011155382.tif 000011